(57)【要約】【課題】機器本体を大型化させずに、他の機器との接続時に破損し難く、良好な操作が可能な撮像装置を提供する。【解決手段】撮像装置１は、外装部５０と、鏡筒ユニット１０と、外部機器６０に接続可能な端子３０１を有するコネクタユニット３０を備える。コネクタユニット３０は、端子３０１を保持するベース部３０２と、ベース部３０２を回転可能に支持する回転軸３０３と、回転軸３０３を支持する支持部３０４を有する。回転軸３０３は鏡筒ユニットの背面に設けられ、コネクタユニット３０を、回転軸３０３を中心として外装部５０に収納された収納状態と、端子３０１が外装部５０から突出した起立状態との間で遷移可能とする。【選択図】図１
2020079875.tif 000002
【特許請求の範囲】
【請求項１】
外装部と、
前記外装部の内側に配置される鏡筒ユニットと、
外部機器に接続可能な端子を有するコネクタユニットと、を備える撮像装置であって、
前記コネクタユニットは、
前記端子を保持するベース部と、
前記ベース部を回転可能に支持する回転軸と、
前記回転軸を支持する支持部と、を有し、
前記コネクタユニットは、前記回転軸を中心として、前記外装部に収納された収納状態と、前記端子が前記外装部から突出した起立状態との間で遷移可能であり、
前記回転軸は前記鏡筒ユニットの背面に設けられていることを特徴とする撮像装置。
【請求項２】
前記コネクタユニットが前記収納状態にあるときに、前記端子と前記ベース部は、前記鏡筒ユニットの光軸と平行な１つの面に沿って配置されることを特徴とする請求項１に記載の撮像装置。
【請求項３】
前記コネクタユニットが前記収納状態にあるときに、前記ベース部の外側表面と前記外装部の表面とが同一平面内にあることを特徴とする請求項１又は２に記載の撮像装置。
【請求項４】
前記コネクタユニットが前記収納状態にあるときの前記回転軸の回転中心から前記ベース部の外側表面までの距離と、前記コネクタユニットが前記起立状態にあるときの前記ベース部において前記端子が設けられている面までの距離とは、略等しいことを特徴とする請求項３に記載の撮像装置。
【請求項５】
前記回転軸の回転中心から前記外装部の背面側の表面までの距離は、前記コネクタユニットが前記収納状態にあるときの前記回転軸の回転中心から前記ベース部の外側表面までの距離よりも短いことを特徴とする請求項１乃至４のいずれか１項に記載の撮像装置。
【請求項６】
前記外装部は、前記コネクタユニットを回転させたときに前記外装部と干渉しないよう切り欠かれていることを特徴とする請求項５に記載の撮像装置。
【請求項７】
前記鏡筒ユニットにおいて前記コネクタユニットが収納される方向の側面から前記回転軸の回転中心までの距離は、前記側面から前記鏡筒ユニットの光軸中心までの距離よりも短いことを特徴とする請求項１乃至６のいずれか１項に記載の撮像装置。
【請求項８】
前記コネクタユニットが前記収納状態にあるときに、前記端子の先端は前記鏡筒ユニットの正面側を向いていることを特徴とする請求項１乃至７のいずれか１項に記載の撮像装置。
【請求項９】
外部機器に接続可能な端子を有するコネクタユニットを備える電子機器であって、
前記コネクタユニットは、
前記端子を保持するベース部と、
前記ベース部を回転可能に支持する回転軸と、を有し、
前記コネクタユニットは、前記回転軸を中心として、前記電子機器の外装部に収納された収納状態と、前記端子が前記外装部から突出した起立状態との間で回転可能であり、
前記回転軸は前記電子機器の本体の１つの面に配置され、前記コネクタユニットは前記収納状態にあるときに前記１つの面と直交する面に沿って前記外装部に収納されていることを特徴とする電子機器。
【発明の詳細な説明】
【技術分野】
【０００１】
本発明は、外部機器との通信等を行うためのコネクタを備える撮像装置及び電子機器に関する。
【背景技術】
【０００２】
近年、スマートフォンと通信可能に接続され、スマートフォンでは実現できない付加価値を提供する機器が多く誕生しており、例えば、スマートフォンの充電／データ通信部に接続してスマートフォンに画像データを送信する撮像装置が知られている。このような機器（撮像装置）に搭載されるコネクタには、非使用時における破損を防止するために回転動作により機器本体に収納可能となっているものがある。
【０００３】
例えば、特許文献１には、コネクタの長さ方向の略中央に回転中心を設け、コネクタの後端部を機器本体側へ押し込むようにしてコネクタを回転させてコネクタを起立させることによりコネクタの先端を機器内部から突出させる構成が記載されている。特許文献２には、コネクタの長さ方向の後端に回転中心となるヒンジ部を設け、ヒンジ部まわりにコネクタを回転させることで、コネクタの先端を機器本体から突出させる構成が記載されている。
【先行技術文献】
【特許文献】
【０００４】
【特許文献１】特表２０１７−５０９１２７号公報
【特許文献２】特開２００９−２７８２４６号公報
【発明の概要】
【発明が解決しようとする課題】
【０００５】
しかしながら、特許文献１に記載されたコネクタでは、コネクタの起立時に後端部が機器内部へ押し込まれるため、機器本体にコネクタの後端部を収容するスペースが必要となることで、機器本体が大型化しやすいという問題がある。コネクタの形状は多くの場合に規格によって定められているため、この問題は、機器本体においてコネクタの収納スペースが占有する割合が大きくなる小型機器で顕著となる。また、上記特許文献２に記載されたコネクタでは、コネクタの先端を機器本体から突出させた際にコネクタが機器本体から大きく飛び出してしまうため、他の機器と接続した際にコネクタが破損しやすいという問題がある。また、他の機器との接続長が長くなることで、接続された２つの機器に対する操作性が低下するおそれがある。
【０００６】
本発明は、本体を大型化させずに、他の機器との接続時に破損し難く、良好な操作性を実現することが可能な撮像装置を提供することを目的とする。
【課題を解決するための手段】
【０００７】
本発明に係る撮像装置は、外装部と、前記外装部の内側に配置される鏡筒ユニットと、外部機器に接続可能な端子を有するコネクタユニットと、を備える撮像装置であって、前記コネクタユニットは、前記端子を保持するベース部と、前記ベース部を回転可能に支持する回転軸と、前記回転軸を支持する支持部と、を有し、前記コネクタユニットは、前記回転軸を中心として、前記外装部に収納された収納状態と、前記端子が前記外装部から突出した起立状態との間で遷移可能であり、前記回転軸は前記鏡筒ユニットの背面に設けられていることを特徴とする。
【発明の効果】
【０００８】
本発明によれば、本体を大型化させずに、他の機器との接続時に破損し難く、良好な操作が可能な撮像装置を提供することができる。
【図面の簡単な説明】
【０００９】
【図１】実施形態に係る撮像装置の断面図である。
【図２】撮像装置の内部構造を説明する斜視図及び分解斜視図である。
【図３】撮像装置の外部機器への接続方法を説明する図である。
【図４】コネクタユニットの回転機構の構造例を示す断面図である。
【図５】コネクタユニット及びその周辺の第１の拡大断面図である。
【図６】コネクタユニット及びその周辺の第２及び第３の拡大断面図である。
【図７】コネクタユニット及びその周辺の第４の拡大断面図である。
【図８】コネクタユニットの回転軸と撮像装置の全体サイズとの関係を説明する第１の図である。
【図９】コネクタユニットの回転軸と撮像装置の全体サイズとの関係を説明する第２の図である。
【図１０】コネクタユニットの回転軸と撮像装置の全体サイズとの関係を説明する第３の図である。
【図１１】コネクタユニットの回転軸と撮像装置の全体サイズとの関係を説明する第４の図である。
【図１２】撮像装置と外部機器による撮像シーケンスのフローチャートである。
【発明を実施するための形態】
【００１０】
以下、本発明の実施形態について、添付図面を参照して詳細に説明する。本実施形態では、外部機器としてスマートフォンを、スマートフォンに接続可能な電子機器として撮像装置を取り上げることとする。
【００１１】
図１は、本発明の実施形態に係る撮像装置１の断面図である。図２（ａ）は、撮像装置１の内部構成を示す斜視図である。図２（ｂ）は、撮像装置１の内部構成を示す分解斜視図である。説明の便宜上、図１及び図２に示すＸ軸、Ｙ軸、Ｚ軸を規定する。Ｚ軸は、光軸と平行な軸である。Ｘ軸は、Ｚ軸（光軸）が水平方向と平行な状態において、水平面内でＺ軸と直交する軸である。Ｙ軸は、Ｚ軸（光軸）が水平方向と平行な状態において、鉛直方向と平行な軸である。図１の断面図は、光軸とＹ軸を含む平面での撮像装置１の断面を表している。
【００１２】
撮像装置１は、大略的に、鏡筒ユニット１０、メイン基板２０、コネクタユニット３０、シャーシ部４０及び外装部５０によって構成されている。鏡筒ユニット１０、メイン基板２０、コネクタユニット３０及び外装部５０は、不図示のビス等によりシャーシ部４０に締結（固定）されている。鏡筒ユニット１０、メイン基板２０、コネクタユニット３０及びシャーシ部４０は、外装部５０の内側に配置される。
【００１３】
鏡筒ユニット１０は、撮像装置１の本体として位置付けられる構造部であり、レンズ１０１、レンズ保持部材１０２、撮像センサ保持部材１０３、ＣＭＯＳセンサ等の撮像センサ１０４を有する。鏡筒ユニット１０の構造そのものは、本発明の特徴とは直接の関係がないため、詳細な説明は省略する。
【００１４】
コネクタユニット３０は、端子３０１、ベース部３０２、回転軸３０３及び支持部３０４を有する。コネクタユニット３０は、例えば、ＵＳＢコネクタ、マイクロＵＳＢコネクタ等であるが、これらに限定されるものではなく、別の規格の電子コネクタであっても構わない。端子３０１は、外部機器と物理的に接続されて、外部機器との間での通信を可能とする部位である。なお、本実施形態では、端子３０１はオスコネクタである。ベース部３０２は、端子３０１を保持する部材であり、回転軸３０３を中心に回転可能に配置されている。回転軸３０３は、ベース部３０２を回転可能に軸支しており、且つ、支持部３０４に支持されている。
【００１５】
本発明の特徴は、コネクタユニット３０の構造、動作、支持構造等にあるため、以下、これらの点を中心に説明する。
【００１６】
図３は、撮像装置１の外部機器６０への接続方法を説明する図である。ここでは、外部機器６０として、前述の通り、スマートフォンを示している。図３（ａ）は、撮像装置１の非使用時の外観を示す斜視図である。図３（ａ）に示した外観は図１の状態に対応しており、非使用時にはコネクタユニット３０は本体に収納可能となっている。図３（ａ）に示したコネクタユニット３０の状態を、以下、収納状態と称呼する。なお、図１は収納状態を示す断面図となっている。
【００１７】
図３（ｂ）に示す撮像装置１は、外部機器６０に接続するためにコネクタユニット３０を操作して、ベース部３０２を収納状態から９０度回転させて、端子３０１を外装部５０から突出させた状態（以下「起立状態」と称呼する）となっている。また、図３（ｂ）は、撮像装置１の端子３０１を外部機器６０の端子（不図示）へ差し込む様子を模式的に示している。なお、ここでは、外部機器６０の端子は、外部機器６０の長手方向の一方の端面に設けられているものとしているが、外部機器６０の端子位置はこれに限定されるものではない。図３（ａ），（ｂ）に示すように、コネクタユニット３０は、回転動作により、収納状態と起立状態との間で遷移可能となっている。
【００１８】
図３（ｃ）は、撮像装置１の端子３０１が外部機器６０の端子（不図示）へ接続されて、撮像装置１が外部機器６０に装着された状態を示している。なお、前述の通りに端子３０１はオスコネクタであるため、外部機器６０において端子３０１と接続される端子（不図示）はメスコネクタである。
【００１９】
図４は、コネクタユニット３０の回転機構の構造例を示す断面図である。ベース部３０２は、回転軸３０３を中心として自由に回転するスリーブ部３０５（図１参照）と、回転位相を規制する機構を有している。回転位相を規制する機構には、公知の部材間の摩擦を利用するもの、ボールとバネを組み合わせたもの、穴と軸によるロック機構等が用いられる。ベース部３０２の回転位相が規制可能となっていることで、コネクタユニット３０は使用中（端子３０１を本体から起立させた状態）で、自重によって勝手に回転することはない。
【００２０】
回転軸３０３は、ベース部３０２と支持部３０４の相対的な回転動作を実現することができればよく、例えば、図４（ａ）に示すように一本の軸でもよいし、図４（ｂ）に示すように同じ中心軸を持つ２本の軸でもよい。また、図４（ｃ）に示すように、ベース部３０２と回転軸３０３が一体となっている構造であってもよく、図４（ｄ）に示すように、回転軸３０３と支持部３０４が一体となっている構造であってもよい。
【００２１】
なお、前述の通り、支持部３０４は、ビス等を用いてシャーシ部４０に締結（固定）されており、端子３０１とベース部３０２が一体的に回転した際に動くことはない。図４（ａ）に示したように、支持部３０４とベース部３０２との間には、ベース部３０２が回転した際に支持部３０４と干渉しないように、空間３０６が設けられている。
【００２２】
図５は、図１と同じ断面でコネクタユニット３０及びその周辺の構造を表した拡大断面図であり、コネクタユニット３０を起立させる方法を説明する図である。コネクタユニット３０は、非使用時には外装部５０に収納された収納状態とすることが可能となっている。外装部５０の形状は、コネクタユニット３０が収納状態にあるときには、端子３０１の先端が鏡筒ユニット１０の正面側を向き、ユーザが容易には端子３０１の先端に触れることができないように設計されている。コネクタユニット３０の使用時、つまり、撮像装置１の使用時には、ユーザは、ベース部３０２の端子３０１側の角部３０２ａに指を掛けて引くことで、テコの原理を利用してコネクタユニット３０を起立させることができる。或いは、ユーザは、ベース部３０２において端子３０１が設けられている面の反対側の面の角部３０２ｂに指を掛けて引くことで、テコの原理を利用してコネクタユニット３０を起立させることができる。
【００２３】
図６（ａ）は、図１と同じ断面でコネクタユニット３０及びその周辺の構造を表した拡大断面図であり、コネクタユニット３０の回転中心の配置について説明する図である。撮像装置１では、図６（ａ）に示すように、コネクタユニット３０が収納状態にあるときのコネクタユニット３０の回転角度を０度と規定する。図６（ｂ）は、コネクタユニット３０を収納状態から９０度回転させた起立状態で、端子３０１が外部機器６０に接続された状態を図１と同じ断面で表した拡大断面図である。
【００２４】
撮像装置１について、撮像を行う際の被写体側を鏡筒ユニット１０の正面側とし、その反対側を背面側と定義する。コネクタユニット３０の回転中心である回転軸３０３は、鏡筒ユニット１０の背面に配置されている。換言すれば、回転軸３０３は、鏡筒ユニット１０の正面側から光軸に沿って見たときの鏡筒ユニット１０の投影面内に設けられている。このような構成とすることで、コネクタユニット３０が鏡筒ユニット１０に近付けて配置された収納状態を実現することができる。具体的には、端子３０１とベース部３０２が鏡筒ユニット１０の上面に沿って配置された収納状態、換言すれば、ベース部３０２の鏡筒ユニット１０側の面を鏡筒ユニット１０の上面に接触させた収納状態を実現することができる。その結果、コネクタユニット３０が収納状態にあるときの撮像装置１の高さ（Ｙ方向サイズ）を小さく抑えることが可能になる。また、回転軸３０３は、外装部５０から突出しないように配置されている。これにより、コネクタユニット３０が収納状態にあるときに回転軸３０３が外力が直接作用し難く、よって、回転軸３０３の破損を抑制することが可能となっている。
【００２５】
図６（ａ）に示すように、コネクタユニット３０が収納状態にあるとき、撮像装置１の上面に露出するベース部３０２の外側表面３０２ｃは、外装部５０の表面と略平行で同じ高さに位置している。換言すれば、コネクタユニット３０が収納状態にあるときに、外装部５０の表面とベース部３０２の外側表面３０２ｃは同一平面内にある。一般的に、機器本体から突出している部分があると、その部分に外力が加わりやすく、破損が生じやすい。これに対して、コネクタユニット３０は、収納状態ではベース部３０２が外装部５０から突出しておらず、よって、他の部位に比べてベース部３０２に対して衝撃等の外力が加わりやすい構造にはなっていない。こうして、撮像装置１では、コネクタユニット３０の耐久性を確保している。
【００２６】
図６（ｂ）に示すように、コネクタユニット３０を９０度回転させて端子３０１を外装部５０から突出させた状態でベース部３０２において端子３０１が設けられている面３０２ｄは、外装部５０の表面と略平行で同じ高さに位置している。つまり、図６（ａ）に示すように、コネクタユニット３０が収納状態にあるときのベース部３０２の外側表面３０２ｃから回転軸３０３の中心までの距離を“Ｌ１”とする。また、コネクタユニット３０を収納状態から９０度回転させた起立状態でのベース部３０２の面３０２ｄから回転軸３０３の中心までの距離を“Ｌ２”とする。撮像装置１では、距離Ｌ１と距離Ｌ２が略等しい（Ｌ１≒Ｌ２）の関係が成り立つ。図６（ｂ）に示すように撮像装置１が外部機器６０に接続された状態で、撮像装置１はベース部３０２の面３０２ｄと外装部５０の外表面５０２の両平面で外部機器６０に当接することができるため、安定した姿勢が保持される。
【００２７】
図７は、コネクタユニット３０の端子３０１が外部機器６０の端子と接続された状態で、図６（ｂ）に示す状態からコネクタユニット３０が更に４５度回転した状態を図１と同じ断面で表した拡大断面図である。撮像装置１では、コネクタユニット３０が収納状態にあるときのコネクタユニット３０の回転角度を０度として、コネクタユニット３０を外部機器６０に接続した状態で、９０度乃至１３５度の範囲で回転させることが可能となっている。コネクタユニット３０のこのような動作を可能とするために、前述したように回転軸３０３は鏡筒ユニット１０を構成する撮像センサ保持部材１０３の背面側に配置されている。また、回転軸３０３の回転中心から外装部５０の背面までの距離を“Ｌ３”とすると、距離Ｌ３が距離Ｌ１よりも小さい関係（Ｌ１＝Ｌ２＞Ｌ３）が成り立っており、外装部５０には回転したコネクタユニット３０が干渉しないよう切り欠かれている。更に、外装部５０には、コネクタユニット３０が１３５度より大きく回転することを規制するための規制部５０３が設けられている。コネクタユニット３０の回転は、ベース部３０２の背面３０２ｅが規制部５０３に当接することによって制限される。
【００２８】
図８乃至図１１は、コネクタユニット３０の回転中心となる回転軸の配置と撮像装置１の全体サイズとの関係を説明する図である。図８は、コネクタユニット３０及びその周辺の拡大断面図である。図８に示すように、回転軸を配設する位置の候補として、コネクタユニット３０及びその周辺の４つの範囲Ａ〜Ｄを考える。範囲Ａは、端子３０１の根元部から撮像装置１の正面側にかけての範囲である。範囲Ｂは、端子３０１の根元から撮像装置１の背面側にかけての範囲である。範囲Ｃは、鏡筒ユニット１０とオーバーラップする範囲である。範囲Ｄは、鏡筒ユニット１０の背面側の範囲である。
【００２９】
図９（ａ）は、コネクタユニット３０の回転中心を範囲Ａの点８０１に設けた状態を示す断面図である。なお、コネクタユニット３０の回転中心となる回転軸はＸ軸と略平行であり、点８０１は回転軸をＸ方向に投影したときの軸中心である。この場合、コネクタユニット３０を回転させると、ベース部３０２の後部が鏡筒ユニット１０の内部に入り込むため、例えば、図９（ａ）中の範囲７０１のように、鏡筒ユニット１０と干渉する範囲が生じてしまう。範囲７０１のような干渉範囲が生じないようにするためには、コネクタユニット３０及び回転中心となる点８０１を上方（Ｙ軸正方向）へシフトさせる必要があり、この場合、撮像装置全体が大型化してしまう。
【００３０】
図９（ｂ）は、コネクタユニット３０の回転中心を範囲Ｂの点８０２に設けた状態を示す断面図である。なお、コネクタユニット３０の回転中心となる回転軸はＸ軸と略平行であり、点８０２は回転軸をＸ方向に投影したときの軸中心である。コネクタユニット３０を回転させると、コネクタユニット３０の回転角度が９０度となって起立した状態で、端子３０１のみならずベース部３０２の面３０２ｄが外装部５０（撮像装置１本体）から大きく突出する。この場合、外部機器６０との接続時の強度が低下し、また、撮像装置において外部機器６０と当接する面がベース部３０２の面３０２ｄのみとなることで安定性が低下する。更に、撮像装置１により撮像中のライブビュー映像を外部機器６０であるスマートフォンの表示画面に表示している場合には、視差が大きくなることでユーザビリティが低下してしまう。
【００３１】
図１０は、回転軸の配設位置を範囲Ｃに設けた状態を説明する図である。図１０（ａ）は、撮像装置１の断面図である。図１０（ｂ）は、図１０（ａ）に示す矢視Ｅ−Ｅの断面図である。範囲Ｃに回転軸を配置する場合、鏡筒ユニット１０の側面に回転軸を設ける必要があり、よって、回転軸はＹ軸と略平行に配置することになり、回転軸の配設範囲をＺ方向に投影したときの範囲は範囲８０３で示される。範囲８０３に加えて、コネクタユニット３０が収納状態にあるときにも、ベース部３０２の大きさの分だけＸ方向サイズが大きくなり、コネクタユニット３０を回転させて端子３０１をＸ方向に起立させた状態では、コネクタユニット３０は更にＸ方向に突出する。その結果、回転軸の配設位置を範囲Ｂの点８０２に設けた場合と同様の問題も発生してしまう。
【００３２】
図１１は、回転軸の配設位置を範囲Ｄに設けた状態を説明する図であり、図１に示した撮像装置１の断面図と同等であり、回転中心８０４（回転軸３０３）が範囲Ｄ、つまり、鏡筒ユニット１０の背面側に設けられている。これにより前述したように、収納状態から起立状態へコネクタユニット３０を遷移させた際に、コネクタユニット３０が外装部５０から大きく飛び出すことのない構成を実現することができる。ここで、鏡筒ユニット１０におけるコネクタユニット３０側の側面１０５から回転中心８０４までの距離を“Ｌ４”、側面１０５から鏡筒ユニット１０の光軸中心までの距離を“Ｌ５”とする。このとき、範囲Ｄ中で、Ｌ４＜Ｌ５、の関係が成り立つ位置に回転中心８０４を設けることにより、撮像装置１全体を更に小型化することができる。
【００３３】
図１２は、撮像装置１と外部機器６０を用いた撮像シーケンスを説明するフローチャートである。Ｓ９０１では、ユーザがコネクタユニット３０の端子３０１を外部機器６０の端子に接続する。外部機器６０の制御部（ＣＰＵ（不図示））は、所謂プラグアンドプレイ機能により撮像装置１の装着を検知し、撮像装置１を使用可能な状態とする。これにより、Ｓ９０２において撮像装置１が起動する。なお、撮像装置１は、電源を備えておらず、外部機器６０から端子３０１を通じて電源が供給されることによって動作する。よって、撮像装置１の電源は、端子３０１の挿抜に応じてオン／オフされる。
【００３４】
撮像装置１が起動すると、Ｓ９０３において撮像装置１の制御手段（不図示）は、鏡筒ユニット１０により取得している映像の映像データを外部機器６０へ端子３０１を通じて送信する。そして、外部機器６０の制御部は、撮像装置１から取得した映像データをライブビュー映像として外部機器６０の表示装置に表示する。Ｓ９０４において、外部機器６０に設けられているレリーズボタンをユーザが押下したものとする。なお、レリーズボタンは、例えば、表示装置に表示されているソフトキー（オンスクリーンキー）である。
【００３５】
Ｓ９０５では撮像装置１の制御部（ＣＰＵ）が、静止画データを取得し、撮像装置１のバッファメモリ（不図示）に一時的に格納する。なお、撮像装置１の制御部やバッファメモリは、メイン基板２０に実装されている。Ｓ９０６では撮像装置１の制御部（不図示）が、バッファメモリに格納した静止画データを端子３０１を通じて外部機器６０へ転送し、外部機器６０の制御部は、受信した静止画データを外部機器６０が備えるＲＡＭ等の記憶手段（不図示）に保存する。なお、Ｓ９０５からＳ９０６は自動で即時的に実行される。
【００３６】
Ｓ９０７では外部機器６０の制御部が、端子３０１（撮像装置１）が外部機器６０から抜かれたか否かを判定する。外部機器６０の制御部は、端子３０１が外部機器６０に接続されたままであると判定した場合（Ｓ９０７でＮＯ）、処理をＳ９０４へ戻し、端子３０１が外部機器６０から抜かれたと判定した場合（Ｓ９０７でＹＥＳ）、撮像処理を終了する。
【００３７】
以上、本発明をその好適な実施形態に基づいて詳述してきたが、本発明はこれら特定の実施形態に限られるものではなく、この発明の要旨を逸脱しない範囲の様々な形態も本発明に含まれる。更に、上述した各実施形態は本発明の一実施形態を示すものにすぎず、各実施形態を適宜組み合わせることも可能である。例えば、上記実施形態では、外部機器としてスマートフォンと電子機器としての撮像装置の組み合わせで本発明を説明したが、外部機器と電子機器の組み合わせはこれに限定されるものではなく、他の機器の組み合わせであってもよい。
【符号の説明】
【００３８】
１    撮像装置
１０    鏡筒ユニット
３０    コネクタユニット
５０    外装部
６０    外部機器
３０１    端子
３０２    ベース部
３０３    回転軸
３０４    支持部
【図１】
2020079875.tif 000003
【図２】
2020079875.tif 000004
【図３】
2020079875.tif 000005
【図４】
2020079875.tif 000006
【図５】
2020079875.tif 000007
【図６】
2020079875.tif 000008
【図７】
2020079875.tif 000009
【図８】
2020079875.tif 000010
【図９】
2020079875.tif 000011
【図１０】
2020079875.tif 000012
【図１１】
2020079875.tif 000013
【図１２】
2020079875.tif 000014